(57)【要約】【課題】通信に使用可能な通信スロットを有効に活用して、拡声放送に係る通信及び非拡声放送に係る通信を効果的に行える無線通信システムを提供する。【解決手段】  拡声用の音声を符号化して送信する親局装置と、当該符号化された音声を受信し、復号して拡声出力する子局装置と、を有する無線通信システムにおいて、親局装置は、拡声放送に係る音声信号の符号化に使用可能な複数の音声コーデック（３スロット使用拡声用コーデック部２５、２スロット使用拡声用コーデック部２６）を有しており、選択部２３により、拡声放送の緊急度及び既に使用中の通信スロット数に応じて、当該拡声放送に係る音声信号の符号化に使用する音声コーデックを選択する。【選択図】図１
2012239069.tif 000002
【特許請求の範囲】
【請求項１】
音声を符号化して送信する親局装置と、当該符号化された音声を受信し、復号して音声出力する子局装置と、を有する無線通信システムにおいて、
前記親局装置は、
符号化された音声の送信に使用するスロット数が異なる複数の符号化方式を有し、いずれかの符号化方式を用いて音声を符号化する符号化手段と、
前記符号化手段による音声の符号化に用いる符号化方式を、当該音声の緊急度及び他の通信に使用中のスロット数に応じて選択する選択手段と、を備えた、
ことを特徴とする無線通信システム。
【発明の詳細な説明】
【技術分野】
【０００１】
本発明は、拡声用の音声を符号化して送信する親局装置と、当該符号化された音声を受信し、復号して拡声出力する子局装置と、を有する無線通信システムに関する。
【背景技術】
【０００２】
近年、災害発生等の緊急時に住民への連絡を有効的に実現するために、市町村向けの防災無線システムを整備することが検討されている。
防災無線システムは、例えば、拡声用に入力された音声を無線により送信する親局設備（親局装置）と、当該音声を無線により受信して屋外スピーカから拡声出力（拡声放送）する屋外子局（子局装置）と、を用いて構築される。
【先行技術文献】
【特許文献】
【０００３】
【特許文献１】特開２００５−２０６６６号公報
【発明の概要】
【発明が解決しようとする課題】
【０００４】
防災無線システムの屋外子局は、災害発生等の緊急時に住民への連絡手段を確保すること等を目的とした無線設備であり、一例として、次のような機能が搭載される。すなわち、屋外子局は、親局設備から送信（例えば、同報送信）された拡声用の音声を受信して拡声放送する機能、屋外子局の操作者により入力された拡声用の音声を当該屋外子局単体で拡声放送する機能、親局設備との間で通話（例えば、複信通話）する機能などを有する。
屋外子局には幾つかの種類があり、例えば、拡声放送に係る機能（及び通話に係る機能）を有し且つ固定的に設けられた屋外拡声子局、通話に係る機能を有し且つ車輌等の移動体に設けられた防災無線移動局などが挙げられる。
親局設備から屋外子局へ送信される音声の情報は、親局設備側にて変調（符号化）された後に屋外子局へ伝送され、屋外子局側にて復調（復号化）される。
【０００５】
ここで、従来の防災無線システムでは、親局設備から拡声用の音声を送信して屋外拡声子局で拡声放送させるにあたり、屋外スピーカから拡声放送する際の音割れ等を防ぐため、音声の品質を確保する目的で、通信に使用可能な通信スロット（例えば、３個の通信スロット）を全て使用して拡声用の音声を送信していた。しかしながら、これらの通信スロットは、屋外拡声子局に対する拡声放送に係る通信のみならず、防災無線移動局等の他の屋外子局に対する非拡声放送（例えば、通話）に係る通信でも使用されるため、拡声放送の緊急性の如何を問わずに３スロットを拡声放送に係る通信で占有すると、非拡声放送に係る通信が阻害されてしまうという問題があった。
【０００６】
以下に、音声の通信に使用するスロット数と音声品質との関係を例示する。
（１）１スロット使用の場合
音声品質に問題があり、拡声放送に適さないが、通話には支障がない。
（２）２スロット使用の場合
音声品質にやや問題があり、拡声放送において音声が瞬間的に途切れる場合がある。
（３）３スロット使用の場合
音声品質に問題がなく、音声の拡声放送だけでなく、本来的には拡声放送に不適なミュージックタイム等の拡声放送にも適用できる。
【０００７】
本発明は、このような従来の事情に鑑みて為されたものであり、通信に使用可能な通信スロットを有効に活用して、拡声放送などの音声を周囲に出力する放送に係る通信や非拡声放送に係る通信を効果的に行える無線通信システムを提供することを目的とする。
【課題を解決するための手段】
【０００８】
本発明では、音声を符号化して送信する親局装置と、当該符号化された音声を受信し、復号して音声出力する子局装置と、を有する無線通信システムにおいて、次のような構成とした。
すなわち、親局装置に、符号化された音声の送信に使用するスロット数が異なる複数の符号化方式を有し、いずれかの符号化方式を用いて音声を符号化する符号化手段と、符号化手段による音声の符号化に用いる符号化方式を、当該音声の緊急度及び他の通信に使用中のスロット数に応じて選択する選択手段と、を備えた。
【発明の効果】
【０００９】
本発明によれば、通信に使用可能な通信スロットを有効に活用して、拡声放送などの音声を周囲に出力する放送に係る通信や非拡声放送に係る通信を効果的に行えるようになる。
【図面の簡単な説明】
【００１０】
【図１】本発明の第１実施例に係る無線通信システムの構成例を示す図である。
【図２】音声コーデックと音声品質等との関係の一例を示す図である。
【図３】音声コーデックの切り替えに関する動作フローの一例を示す図である。
【図４】拡声放送の緊急度と他の通信に使用中の通信スロットの数とに応じた音声コーデック等の切り替えパターンの一例を示す図である。
【図５】拡声放送を実行する際の動作フローの一例を示す図である。
【図６】防災無線システムの基本的な構成例を示す図である。
【図７】本発明の第２実施例に係る無線通信システムの構成例を示す図である。
【図８】放送内容の緊急度と他の通信に使用中の通信スロットの数とに応じた音声コーデック等の切り替えパターンの一例を示す図である。
【発明を実施するための形態】
【００１１】
本発明の具体的な説明に先立って、本発明を適用可能な防災無線システムの基本的な構成について、図６を参照して説明する。
図６に例示する防災無線システムは、主に、親局設備と、子局（本例では、屋外拡声子局）とを用いて構成されている。
【００１２】
防災無線システムの構成要素としては、拡声放送及び非拡声放送（例えば、通話）に係る操作等を操作者から受け付ける操作部を有する統制台８１、システムの無線回線を統括して制御する回線制御装置８２、親局設備と屋外子局との間で送受信する音声信号の変復調（符号化及び復号化）を行う音声コーデック部８３，８５、親局設備と屋外子局との間における通信（音声信号の送受信など）に用いられる送受信増幅器８４，８６、屋外子局にて復調（復号化）された拡声用の音声信号を増幅する拡声用増幅器８８、増幅された拡声用の音声信号に基づく拡声放送を行う屋外スピーカ９０、親局設備との間における非拡声放送に係る通信（通話等の音声通信やデータ通信など）を提供する音声通信用端末８９、屋外子局へ伝達される音声信号の種類を識別して出力先を拡声用増幅器８８（屋外スピーカ９０）又は音声通信用端末８９に切り替える出力先切替部８７、などが挙げられる。
本例の防災無線システムでは、これらの構成要素のうち、親局設備側に、統制台８１、回線制御装置８２、音声コーデック部８３、送受信増幅器８４を設けてあり、屋外子局側に、送受信増幅器８５、音声コーデック部８６、出力先切替部８７、拡声用増幅器８８、音声通信用端末８９、屋外スピーカ９０を設けてある。
【００１３】
本例の防災無線システムは、例えば、次のような動作を行う。
親局設備において、統制台８１の操作等により拡声用の音声信号が入力されると、当該音声信号は、回線制御装置８２を介して音声コーデック部８３に入力され、音声コーデック部８３により符号化され、送受信増幅器８４を介して屋外子局へ送信される。屋外子局では、親局設備から拡声放送用の音声信号を受信すると、当該音声信号は、送受信増幅器８５を介して音声コーデック部８６に入力され、音声コーデック部８６により復号化される。出力先切替部８７は、拡声用の音声信号について、その出力先を拡声用増幅器８８に設定する。すなわち、復号化された拡声放送用の音声信号は、拡声用増幅器８８に入力され、拡声用増幅器８８により増幅されて屋外スピーカ９０から拡声出力される。
【００１４】
親局設備において、統制台８１の操作等により非拡声用の音声信号が入力されると、当該音声信号は、回線制御装置８２を介して音声コーデック部８３に入力され、音声コーデック部８３により符号化され、送受信増幅器８４を介して屋外子局へ送信される。屋外子局では、親局設備から非拡声用の音声信号を受信すると、当該音声信号は、送受信増幅器８５を介して音声コーデック部８６に入力され、音声コーデック部８６により復号化される。出力先切替部８７は、非拡声用の音声信号について、その出力先を音声通信用端末８９に設定する。すなわち、復号化された非拡声用の音声信号は、音声通信用端末８９に入力され、音声通信用端末８９に設けられたスピーカ等から出力（非拡声出力）される。
また、屋外子局において、音声通信用端末８９の操作等により非拡声用の音声信号が入力されると、上述した説明とは逆の経路を辿って統制台８１に入力され、統制台８１に設けられたスピーカ等から出力される。
【実施例１】
【００１５】
本発明の第１実施例に係る無線通信システムについて説明する。
図１には、第１実施例に係る無線通信システムの構成例を示してある。
本例の無線通信システムは、図６に例示した防災無線システムと同様に、主に、親局設備と、屋外子局（本例では、屋外拡声子局）とを用いて構成されている。
【００１６】
本例の親局設備は、統制台１１と、拡声統制台１２と、回線制御装置１３と、無線送受信装置１４と、を備えている。
統制台１１は、非拡声放送（例えば、通話）に係る操作等を操作者から受け付ける操作部を有する。拡声統制台１２は、拡声放送に係る操作等を操作者から受け付ける操作部を有する。統制台１１及び拡声統制台１２は、図６の例における統制台８１に相当するものであり、非拡声放送用と拡声放送用とで用途を分けて別体の装置に構成しているが、図６の例のように一体の装置に構成してもよい。
【００１７】
回線制御装置１３は、制御部２１及びＤＳＰ（Ｄｉｇｉｔａｌ  Ｓｉｇｎａｌ  Ｐｒｏｃｅｓｓｏｒ）部２２を有し、システムの無線回線を統括して制御する。制御部２１は、統制台１１及び拡声統制台１２とＤＳＰ部２２との間における通信の制御などを行う。ＤＳＰ部２２は、音声信号の変復調（符号化及び復号化）を行う複数の音声コーデック部（通話用コーデック部２４、３スロット使用拡声用コーデック部２５、２スロット使用拡声用コーデック部２６）と、音声信号の変復調に使用する音声コーデック部を選択するコーデック選択部２３と、を有する。なお、本例のように、回線制御装置１３内に各音声コーデック部２４〜２６を設ける構成ではなく、図６の例のように回線制御装置１３と各音声コーデック部２４〜２６とを分離した構成としてもよい。
無線送受信装置１４は、送受信増幅器３１を用いて屋外子局との間における通信（音声信号の送受信など）を行う。
【００１８】
本例の屋外子局は、無線送受信装置４１と、制御装置４２と、出力先切替部４３と、拡声用増幅器４４、音声通信用端末４５と、屋外スピーカ４６と、を備えている。
無線送受信装置４１は、送受信増幅器５１を用いて親局設備との間における通信（音声信号の送受信など）を行う。
制御装置４２は、ＤＳＰ部６１を有し、屋外子局の動作を統括して制御する。ＤＳＰ部６１は、音声信号の変復調（符号化及び復号化）を行う複数の音声コーデック部（通話用コーデック部６３、３スロット使用拡声用コーデック部６４、２スロット使用拡声用コーデック部６５）と、音声信号の変復調に使用する音声コーデック部を選択するコーデック選択部６２と、を有する。
出力先切替部４３は、親局設備から受信して復号した音声信号の出力先を拡声用増幅器４４又は音声通信用端末４５に切り替える。
拡声用増幅器４４は、親局設備から受信して復号化された拡声用の音声信号を増幅し、当該拡声用増幅器４４に接続された屋外スピーカ４６（本例では、トランペットスピーカ）により拡声出力する。
音声通信用端末４５は、親局設備との間における非拡声放送に係る通信（通話等の音声通信やデータ通信など）を提供する。
【００１９】
本例では、音声信号の変復調に使用する音声コーデックの選択（切り替え）に用いるコーデック選択部２３，６２についてはＤＳＰ部２２，６１にてソフトウェアにより実現しており、音声信号の出力先を切り替える出力先切替部４３については物理的な機構（物理スイッチ）により実現している。
【００２０】
ここで、上述した屋外子局の説明は、拡声放送に係る機能及び非拡声放送に係る機能を併有する屋外拡声子局に関するものであり、拡声放送に係る機能又は非拡声放送に係る機能の一方を有する屋外子局では、他方の機能に関する構成部を省略することができる。すなわち、例えば、通話（非拡声放送の一例）に係る機能を有し且つ車輌等の移動体に設けられる防災無線移動局（拡声放送に係る機能を有さない屋外子局）では、拡声放送に係る機能に関する構成部（拡声用コーデック部６４，６５、拡声用増幅器４４、屋外スピーカ４６など）を省略することができる。なお、本構成例は一例に過ぎず、他の構成による屋外子局を除外する意図は無く、例えば、拡声放送に係る機能を防災無線移動局に付加しても構わない。
【００２１】
図２には、本例の無線通信システムで用いる音声コーデックと音声品質等との関係の一例を示してある。
３スロット使用拡声用コーデック部２５，６４で用いられる音声コーデック１は、ビットレートが高く、拡声放送でも問題のない音声品質であり、符号化結果の音声信号の送信に３スロットが使用される。
２スロット使用拡声用コーデック部２６，６５で用いられる音声コーデック２は、ビットレートが中程度であり、３スロット使用に比べて音声品質は低下するものの拡声しても問題なく聞き取れるレベルであり、符号化結果の音声信号の送信に２スロットが使用される。
通話用コーデック部２４，６３で用いられる音声コーデック３は、ビットレートが低く、音声通話は問題ないが拡声放送には適さない音声品質であり、符号化結果の音声信号の送信に１スロットが使用される。
【００２２】
本例では、拡声放送用の音声信号に適用される音声コーデック１，２として、異なる符号化方式の音声コーデックを用いている。なお、例えば、音声コーデック１，２として同じ符号化方式の音声コーデックを用い、符号化後のデータの処理方法（抽出方法）を変更することにより、符号化結果の音声信号の送信に３スロットを使用するデータを生成するか、或いは、２スロットを使用するデータを生成するかを変更するようにしてもよい。
なお、音声信号の符号化に使用する音声コーデックの切り替えは、例えば、親局設備及び屋外子局に実装されたＤＳＰ部２２，６１における音声信号の符号化の手法及び誤り訂正時のビットレート値などをソフトウェアで変更することで実現できる。
【００２３】
本例の無線通信システムは、屋外拡声子局に対する同報系の拡声放送に係る通信だけでなく、防災無線移動局を含む屋外子局に対する一斉通信などの非拡声放送に係る通信も行うため、これらの通信が重複する状況が発生した場合、一例として、次のようにして使用する音声コーデック等の切り替えを行う。
すなわち、親局設備において、統制台１１又は拡声統制台１２により、屋外子局へ送信する信号について、当該信号の種別（音声又はデータ）を示す種別情報や、当該信号の出力先（拡声用増幅器４４や音声通信用端末４５など）を識別する番号情報などを付加情報として付与しておき、回線制御装置１３や送受信増幅器５１等に設けられた検波回路により、信号の出力先が拡声用増幅器４４か音声通信用端末４５かを判定し、どの音声コーデックを使用するかをコーデック選択部２３，６２により選択することで、適切な音声品質のコーデック処理（符号化及び復号化）を行えるようにする。
なお、統制台１１又は拡声統制台１２において付加情報を付与する構成に代えて、例えば、制御部２１が、信号の供給元が統制台１１か拡声統制台１２かに応じて当該信号の出力先を特定し、当該特定した出力先を示す情報を生成して付加情報として付与するようにしてもよい。
【００２４】
図３には、拡声放送の一例である一般放送の拡声通報中に、緊急度の高い一斉通信（非拡声放送）が実施される場合の動作フローを例示してある。
親局設備において、他の通信が無い状態で、拡声統制台１２により一般放送に係る音声信号が入力されると（ステップＳ１１）、回線制御装置１３の検波回路により当該音声信号が拡声放送用であることが認識され（ステップＳ１２）、コーデック選択部２３により音声コーデック１が選択されて３スロット使用拡声用コーデック部２５により符号化され（ステップＳ１３）、無線送受信装置１４により屋外子局に向けて送信される（ステップＳ１４）。
親局設備から送信された音声信号は、屋外子局において、無線送受信装置４１により受信されて送受信増幅器５１の検波回路により当該音声信号が拡声放送用であることが認識され（ステップＳ１５）、コーデック選択部６２により音声コーデック１が選択されて３スロット使用拡声用コーデック部６４により復号化され（ステップＳ１６）、復号化された音声信号の出力先が出力先切替部４３により拡声用増幅器４４に切り替えられ（ステップＳ１７）、拡声用増幅器４４により増幅されて屋外スピーカ４６により拡声出力される（ステップＳ１８）。
【００２５】
その後、一般放送に係る通信が行われている状態で、親局設備において、統制台１２により緊急度の高い一斉通信用の音声信号が入力されると（ステップＳ２１）、回線制御装置１３の検波回路により当該音声信号が一斉通信用（非拡声放送用）であることが認識され（ステップＳ２２）、コーデック選択部２３により音声コーデック３が選択されて通話用コーデック部２４により符号化され（ステップＳ２３）、無線送受信装置１４により屋外子局に向けて送信される（ステップＳ２４）。
親局設備から送信された音声信号は、屋外子局において、無線送受信装置４１により受信されて送受信増幅器５１の検波回路により当該音声信号が一斉通信用であることが認識され（ステップＳ２５）、コーデック選択部６２により音声コーデック３が選択されて通話用コーデック部６３により復号化され（ステップＳ２６）、復号化された音声信号の出力先が出力先切替部４３により音声通信用端末４５に切り替えられ（ステップＳ２７）、音声通信用端末４５により音声出力される（ステップＳ２８）。
【００２６】
以上のように、本例では、先行して実施していた拡声放送に係る通信を強制的に遮断し、後発的に生じた緊急度の高い非拡声放送を優先的に実行する。すなわち、先行して実施していた通信と後発的に生じた通信とのそれぞれの緊急度（優先度）を比較し、緊急度の高い通信を特定してその通信に応じた音声コーデックへの切り替えを行い、緊急度の高い通信を優先的に実行するようにしている。
【００２７】
なお、本例では、統制台１１又は拡声統制台１２の操作者が、実施予定の通信についてその緊急度を設定する操作を行うことで、当該設定された緊急度を示す緊急度情報を通信対象の信号に付与する構成としているが、他の構成により緊急度情報を付与するようにしてもよく、例えば、操作者を識別する機能を統制台１１及び拡声統制台１２に設け、操作者が所定の人物であると識別された場合に、高い緊急度を設定した緊急度情報を通信対象の信号に付与する構成としてもよい。
【００２８】
図４には、拡声放送の緊急度（優先度）と非拡声放送に係る他の通信に使用中の通信スロットの数とに応じた音声コーデック等の切り替えパターンの一例を示してある。本例では、ＴＤＭＡ（Ｔｉｍｅ  Ｄｉｖｉｓｉｏｎ  Ｍｕｌｔｉｐｌｅ  Ａｃｃｅｓｓ）方式を用い、通話チャネルが１チャネルで４スロット中の３スロットを通信スロットとして使用可能となっている。また、緊急度には「高い」又は「低い」の２種類がある。
【００２９】
まず、拡声放送の緊急度が高い場合について説明する。
図４の例では、拡声放送の緊急度が高い場合について、パターン１とパターン２の２つを用意してある。
パターン１では、既に使用中の通信スロットの有無に関わらず、３スロット使用に対応した音声コーデック１（３スロット使用拡声用コーデック部２５，６４）を選択する。なお、先行して実施されている他の通信は強制的に切断し、３個の通信スロットを確保して拡声放送に係る通信を実行する。
【００３０】
パターン２では、使用中の通信スロット数が０スロットの場合（３スロットの空きがある場合）は、３スロット使用に対応した音声コーデック１（３スロット使用拡声用コーデック部２５，６４）を選択し、使用中の通信スロット数が１スロット以上の場合（３スロットの空きがない場合）には、２スロット使用に対応した音声コーデック２（２スロット使用拡声用コーデック部２６，６５）を選択する。ここで、使用中の通信スロット数が２スロット以上の場合（すなわち、他の通信に影響を与えずに２個の通信スロットを拡声放送用に確保できない場合）において、他の通信の中に緊急度が低いものが存在する場合には、その通信を強制的に切断し、２個の通信スロットを確保して拡声放送に係る通信を実行し、一方、他の通信の中に緊急度が低いものが存在しない場合には、２個の通信スロットを確保できるまで（いずれかの通信が終了するまで）拡声放送に係る通信を待機する。
【００３１】
なお、パターン２の変形例として、使用中の通信スロット数が１スロットの場合において、その通信スロットを用いた他の通信の緊急度が高い場合には、２スロット使用に対応した音声コーデック２（２スロット使用拡声用コーデック部２６，６５）を選択し、当該他の通信の緊急度が低い場合には、パターン１と同様に、３スロット使用に対応した音声コーデック１（３スロット使用拡声用コーデック部２５，６４）を選択し、当該他の通信は強制的に切断し、３個の通信スロットを確保して拡声放送に係る通信を実行するようにしてもよい。
【００３２】
次に、拡声放送の緊急度が低い場合について説明する。
使用中の通信スロット数が０スロットの場合（３スロットの空きがある場合）には、３スロット使用に対応した音声コーデック１（３スロット使用拡声用コーデック部２５，６４）を選択し、使用中の通信スロット数が１スロットの場合（３スロットの空きがないものの、２スロットの空きがある場合）には、２スロット使用に対応した音声コーデック２（２スロット使用拡声用コーデック部２６，６５）を選択し、使用中の通信スロット数が２スロット以上の場合（２スロットの空きがない場合）には、２個又は３個の通信スロットを確保できるまで（１以上の通信が終了するまで）拡声放送に係る通信を待機する。
【００３３】
なお、図４を参照して説明した切り替えパターンは一例に過ぎず、本システムの導入先となる自治体の事情などに即した態様の切り替えパターンを用いればよい。
ここで、拡声用の音声信号の変復調に用いる音声コーデックとして、２スロット使用に対応した音声コーデック２（２スロット使用拡声用コーデック部２６，６５）を選択した場合、すなわち、拡声放送に係る通信と他の通信（非拡声放送に係る通信）とを並立させる場合には、音声コーデック２（２スロット使用拡声用コーデック部２６，６５）を用いた拡声用の音声信号の変復調だけでなく、これと並行して、音声コーデック３（通話用コーデック部２４，６３）を用いた非拡声用の音声信号の変復調が行われる。
【００３４】
本例の無線通信システムでは、図４に例示したような切り替えパターンに基づき、図５に例示する動作フローに従って音声コーデック等の切り替えを行う。
親局設備では、拡声統制台１２により拡声用の音声信号が入力されると、コーデック選択部２３は、その拡声放送の緊急度の判別（ステップＳ３１）、及び、非拡声放送に係る他の通信に使用中の通信スロット数の検出（ステップＳ３２）を行い、これらの処理により得られた当該拡声放送の緊急度及び使用中の通信スロット数に基づいて、当該拡声放送に係る通信において使用する通信スロット数を決定し（ステップＳ３３）、当該決定した通信スロット数に対応した音声コーデックを選択する（ステップＳ３４）。
すなわち、拡声放送に係る通信に３スロットを使用する場合には、３スロット使用に対応した音声コーデック１（３スロット使用拡声用コーデック部２５）が選択され、拡声放送に係る通信に２スロットを使用する場合には、２スロット使用に対応した音声コーデック２（２スロット使用拡声用コーデック部２６）が選択される。
【００３５】
その後、親局設備は、拡声放送に必要な数の通信スロットを確保（他の通信を強制切断し、或いは他の通信の終了まで待機して確保）し、選択された音声コーデックを用いた符号化を拡声用の音声信号に施して、符号化後の拡声用の音声信号を屋外子局へ送信する。親局設備から拡声用の音声信号を受信した屋外子局は、当該音声信号の符号化に用いられた音声コーデックを特定し、当該特定した音声コーデックを用いて音声信号の復号化を行い、拡声用増幅器４４により増幅して屋外スピーカ４６から拡声出力する（ステップＳ３５）。
【００３６】
以上のように、本例では、拡声放送に係る音声信号の変復調（符号化及び復号化）に用いる音声コーデックを、拡声放送の緊急度及び既に使用中の通信スロット数に応じて選択しており、これにより、通信に使用可能な通信スロットを有効に活用して、拡声放送に係る通信や非拡声放送に係る通信を効果的に行えるようにしている。
【００３７】
なお、以下のように、拡声放送に係る音声信号の変復調に用いる音声コーデックを、当該拡声放送の緊急度又は既に使用中の通信スロット数の一方に応じて選択するようにしてもよい。
すなわち、例えば、拡声放送の緊急度が高い場合には、音声コーデック１（３スロット使用拡声用コーデック部２５，６４）を選択し、他の通信が実施中であれば、当該他の通信の緊急度に関わらずに、当該他の通信を強制的に遮断する。一方、拡声放送の緊急度が低い場合には、音声コーデック２（２スロット使用拡声用コーデック部２６，６５）を選択し、他の通信で２スロット以上が使用されていれば、１以上の通信が終了して２スロット以上を確保できるまで拡声放送に係る通信を待機する。
【００３８】
また、例えば、拡声放送の緊急度に関わらずに、使用中の通信スロット数が０スロットの場合には、音声コーデック１（３スロット使用拡声用コーデック部２５，６４）を選択し、使用中の通信スロット数が１スロットの場合には、音声コーデック２（２スロット使用拡声用コーデック部２６，６５）を選択し、使用中の通信スロット数が２スロット以上の場合には、１以上の通信が終了して２スロット以上を確保できるまで拡声放送に係る通信を待機する。
【実施例２】
【００３９】
本発明の第２実施例に係る無線通信システムについて説明する。
図７には、第２実施例に係る無線通信システムの構成例を示してある。
本例の無線通信システムは、図６に例示した防災無線システムと同様に、親局設備と、屋外子局の一例である屋外拡声子局とを用いて構成されており、更に、移動系端末１２０と戸別受信機１３０とを備えている。
移動系端末１２０は、防災業務に従事する者が携行する端末であり、同報および個別複信通話等が可能である。
戸別受信機１３０は、各世帯に設置される屋内型の受信機であり、親局設備からの同報通信を受信して音声放送が可能である。つまり、戸別受信機１３０は、親局から受信した音声を周囲に出力する放送を行うものである。
【００４０】
本例の親局設備は、統制台１０１、回線制御装置１０２、コーデック切替部１０３、第１音声コーデック部１０４、第２音声コーデック部１０５、送受信増幅器１０６を備えている。
本例の屋外子局は、送受信増幅器１１１、第１音声コーデック部１１２、第２音声コーデック部１１３、コーデック切替部１１４、出力先切替部１１５、拡声用増幅器１１６、音声通信用端末１１７、屋外スピーカ１１８を備えている。
なお、統制台１０１、回線制御装置１０２、送受信増幅器１０６，１１１、出力先切替部１１５、拡声用増幅器１１６、音声通信用端末１１７、屋外スピーカ１１８は、図６における統制台８１、回線制御装置８２、送受信増幅器８４，８６、出力先切替部８７、拡声用増幅器８８、音声通信用端末８９、屋外スピーカ９０と同様な機能部であるため、その説明を割愛する。
【００４１】
第１音声コーデック部１０４，１１２は、第１音声コーデックを用いて音声信号の変復調（符号化及び復号化）を行う。第１音声コーデックは、主に同報系通信に使用される高品質の音声コーデックであり、ビットレートが高い。拡声放送での品質にも問題なく、音声及びミュージックチャイム等が放送可能である。但し、音声品質を上げるためには多スロット通信となり、ハイトラフィックとなる。また、規定のスロット数（本例では、３スロット）を使用せず、２スロットを使用して放送を行う場合には、音声品質にやや難があり、音声が瞬間的に途切れる場合がある。
【００４２】
第２音声コーデック部１０５，１１３は、第２音声コーデックを用いて音声信号の変復調（符号化及び復号化）を行う。第２音声コーデックは、主に移動系防災無線に使用される音声コーデックであり、ビットレートが低い。サイレンやミュージックチャイムを再生すると音割れ等を生じ、屋外拡声放送で使用するには品質に問題がある。但し、拡声放送でない音声通信ならば１スロットの使用で通信可能であるため、通信回線の有効利用ができる。移動局端末１２０は、この第２音声コーデックに対応している。
【００４３】
コーデック切替部１０３，１１４は、音声信号の変復調に使用する音声コーデック（第１音声コーデック又は第２音声コーデック）を選択的に切り替える。すなわち、コーデック切替部１０３により、第１音声コーデック部１０４と第２音声コーデック部１０５との接続の切り替えを行い、コーデック切替部１１４により、第１音声コーデック部１１２と第２音声コーデック部１１３との接続の切り替えを行う。
【００４４】
なお、本例の親局設備は、ＤＳＰ部を実装しており、当該ＤＳＰ部により、第１音声コーデック部１０４、第２音声コーデック部１０５、コーデック切替部１０３を実現している。また、本例の屋外子局は、ＤＳＰ部を実装しており、当該ＤＳＰ部により、第１音声コーデック部１１２、第２音声コーデック部１１３、コーデック切替部１１４を実現している。
【００４５】
本例では、屋外拡声放送に係る通信（屋外子局に対する音声信号の送信）は、基本的に、第１音声コーデック（ビットレート高）のみを使用し、放送内容の緊急度に応じて、通信に使用するスロット数の変更を行うことで、通信回線を有効に利用する。
また、戸別受信機通報に係る通信（戸別受信機１３０に対する音声信号の送信）は、屋外拡声放送ほどの音声品質は必要としていないため、放送内容の緊急度に応じて、第１音声コーデック（ビットレート高）と第２音声コーデック（ビットレート低）の切り替え、及び、通信に使用するスロット数の変更を行うことで、通信回線を有効に利用する。
なお、本システムは、屋外拡声放送や戸別受信機通報といった同報系の拡声放送だけではなく、移動系端末１２０への一斉通報等も行うため、これらが重複した場合には、必要度に応じて、音声信号の変復調に使用する音声コーデック及び屋外子局での音声出力先を切り替える必要がある。なお、本例では、移動系端末１２０への一斉通報は、第２音声コーデック（ビットレート低）のみを使用する。
【００４６】
図８には、放送内容の緊急度（優先度）と他の通信に使用中の通信スロットの数とに応じた音声コーデック等の切り替えパターンの一例を示してある。
まず、拡声放送を実施する場合について説明する。
拡声放送に係る音声信号の変復調には、第１音声コーデック（ビットレート高）を使用する。
【００４７】
ここで、拡声放送の緊急度が高い場合（放送内容が災害情報等の場合）は、既に使用中の通信スロットの有無に関わらず、３スロットを使用して拡声放送に係る通信を実行する。なお、先行して実施されている他の通信が存在する場合は、その通信を強制的に切断して３スロットを確保した後に拡声放送に係る通信を実行する。
【００４８】
また、拡声放送の緊急度が低い場合（放送内容が定時放送等の場合）は、先行する他の通信に使用中の通信スロット数に応じて、以下のように、拡声放送に係る通信に用いる通信スロット数を切り替える。
すなわち、使用中の通信スロット数が０スロットの場合（３スロットの空きがある場合）は、３スロットを使用して拡声放送に係る通信を実行する。使用中の通信スロット数が１スロットの場合（３スロットの空きがないものの、２スロットの空きがある場合）は、２スロットを使用して拡声放送に係る通信を実行する。使用中の通信スロット数が２スロットの場合（２スロットの空きがない場合）は、切断可能な通信（優先度の低い通信）が存在していれば、その通信を強制的に切断して２スロットを確保した後に拡声放送に係る通信を実行し、一方、切断可能な通信が存在しなければ、２スロットが確保できるまで拡声放送に係る通信の実行を待機する。
【００４９】
ここで、拡声放送に係る通信に関し、３スロットを使用して通信を実行する場合の音声品質は、拡声放送に問題がなく、チャイム等も放送可能な品質であり、２スロットを使用して通信を実行する場合の音声品質は、拡声放送で音声が瞬間的に途切れることがあるが、必要な情報伝達は可能なレベルの品質である。
【００５０】
次に、戸別受信機通報を実施する場合について説明する。
戸別受信機通報に係る音声信号の変復調には、戸別受信機通報の緊急度が高い場合（放送内容が災害情報等の場合）は、第１音声コーデック（ビットレート高）を使用し、戸別受信機通報の緊急度が低い場合（放送内容が定時放送等の場合）は、２スロット以上を確保できる状況であれば第１音声コーデック（ビットレート高）を使用し、２スロット以上を確保できない状況であれば第２音声コーデック（ビットレート低）を使用する。
【００５１】
ここで、戸別受信機通報の緊急度が高い場合は、既に使用中の通信スロットの有無に関わらず、３スロットを使用して戸別受信機通報に係る通信を実行する。なお、先行して実施されている他の通信が存在する場合は、その通信を強制的に切断して３スロットを確保した後に戸別受信機通報に係る通信を実行する。
【００５２】
また、戸別受信機通報の緊急度が低く、且つ、第１音声コーデック（ビットレート高）を使用する場合は、先行する他の通信に使用中の通信スロット数に応じて、以下のように、戸別受信機通報に係る通信に用いる通信スロット数を切り替える。
すなわち、使用中の通信スロット数が０スロットの場合（３スロットの空きがある場合）は、３スロットを使用して戸別受信機通報に係る通信を実行する。使用中の通信スロット数が１スロットの場合（３スロットの空きがないものの、２スロットの空きがある場合）は、２スロットを使用して拡声放送に係る通信を実行する。使用中の通信スロット数が２スロットの場合（２スロットの空きがない場合）は、切断可能な通信（優先度の低い通信）が存在していれば、その通信を強制的に切断して２スロットを確保した後に戸別受信機通報に係る通信を実行し、一方、切断可能な通信が存在しなければ、２スロットが確保できるまで戸別受信機通報に係る通信の実行を待機する。
【００５３】
また、戸別受信機通報の緊急度が低く、且つ、第２音声コーデック（ビットレート低）を使用する場合は、先行する他の通信に使用中の通信スロット数に応じて、以下のように、戸別受信機通報に係る通信に用いる通信スロット数を切り替える。
すなわち、使用中の通信スロット数が２スロット以下の場合（１スロット以上の空きがある場合）は、１スロットを使用して戸別受信機通報に係る通信を実行する。使用中の通信スロット数が３スロットの場合（１スロットの空きがない場合）は、切断可能な通信（優先度の低い通信）が存在していれば、その通信を強制的に切断して１スロットを確保した後に戸別受信機通報に係る通信を実行し、一方、切断可能な通信が存在しなければ、１スロットが確保できるまで戸別受信機通報に係る通信の実行を待機する。
【００５４】
以上のように、本例では、緊急度が高い戸別受信機通報の場合、或いは、緊急度が低い戸別受信機通報であって２スロット以上を確保できる場合には、第１音声コーデック（ビットレート高）を使用し、緊急度が低い戸別受信機通報であって２スロット以上を確保できない場合には、第２音声コーデック（ビットレート低）を使用しており、戸別受信機通報の緊急度（及び他の通信状況）に応じた音声コーデックを選択し、当該選択した音声コーデックにより音声信号の変復調を行うようにしている。
【００５５】
ここで、戸別受信機通報に係る通信に関し、３スロットを使用して通信を実行する場合の音声品質は、戸別受信機通報に問題がなく、チャイム等も放送可能な品質であり、２スロットを使用して通信を実行する場合の音声品質は、戸別受信機通報で音声が瞬間的に途切れることがあるが、必要な情報伝達は可能なレベルの品質であり、１スロットを使用して通信を実行する場合の音声品質は、戸別受信機通報に少し難があり、サイレン、ミュージック等の再生に適さない品質である。
【００５６】
以上のような音声コーデック等の切り替え制御について説明する。
本例では、親局設備において、屋外子局へ送信する信号について、当該信号の種別（音声又はデータ）を示す種別情報や、当該信号の出力先（拡声用増幅器１１６や音声通信用端末１１７など）を識別する番号情報などを付加情報として付与しておき、回線制御装置１０２や送受信増幅器１１１等に設けられた検波回路により、信号の出力先が拡声用増幅器１１６か音声通信用端末１１７かを判定し、使用する音声コーデックをコーデック切替部１０３，１１４により選択的に切り替えることで、適切な音声品質のコーデック処理（符号化及び復号化）を行えるようにする。
なお、音声信号の符号化に使用する音声コーデックの切り替えは、例えば、親局設備及び屋外子局に実装されたＤＳＰ部における音声信号の符号化の手法及び誤り訂正時のビットレート値などをソフトウェアで変更することで実現できる。
【００５７】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００５８】
１１：統制台、  １２：拡声統制台、  １３：回線制御装置、  １４：無線送受信装置、  ２１：制御部、  ２２：ＤＳＰ部、  ２３：コーデック選択部、  ２４：通話用コーデック部、  ２５：３スロット使用拡声用コーデック部、  ２６：２スロット使用拡声用コーデック部、  ３１：送受信増幅器
４１：無線送受信装置、  ４２：制御装置、  ４３出力先切替部：、  ４４：拡声用増幅器、  ４５：音声通信用端末、  ４６：屋外スピーカ、  ５１：送受信増幅器、  ６１：ＤＳＰ部、  ６２：コーデック選択部、  ６３：通話用コーデック部、  ６４：３スロット使用拡声用コーデック部、  ６５：２スロット使用拡声用コーデック部
８１：統制台、  ８２：回線制御装置、  ８３：音声コーデック部、  ８４：送受信増幅器、  ８５：送受信増幅器、  ８６：音声コーデック部、  ８７：出力先切替部、  ８８：拡声用増幅器、  ８９：音声通信用端末、  ９０：屋外スピーカ
１０１：統制台、  １０２：回線制御装置、  １０３：コーデック切替部、  １０４：第１音声コーデック部、  １０５：第２音声コーデック部、  １０６：送受信増幅器、  １１１：送受信増幅器、  １１２：第１音声コーデック部、  １１３：第２音声コーデック部、  １１４：コーデック切替部、  １１５：出力先切替部、  １１６：拡声用増幅器、  １１７：音声通信用端末、  １１８：屋外スピーカ、  １２０：移動系端末、  １３０：戸別受信機
【図１】
2012239069.tif 000003
【図２】
2012239069.tif 000004
【図３】
2012239069.tif 000005
【図４】
2012239069.tif 000006
【図５】
2012239069.tif 000007
【図６】
2012239069.tif 000008
【図７】
2012239069.tif 000009
【図８】
2012239069.tif 000010